(57)【特許請求の範囲】
【請求項１】
封筒の一辺の折り目に複数の切断穴を形成し、前記折り目の内側に沿って引張強度の高い線材又は細幅のテープを張り渡し、同線材又は細幅のテープの少なくとも両端を折り目内側隅部で止着し、同止着箇所を含む封筒隅部が封筒から分断できるようにする複数の分断穴を設けて切除片を形成し、切除片を分断穴に沿って破断させて封筒から分断した後、更に線材又は細幅のテープで封筒の一辺を前記切断穴を形成した折り目に沿って切断することで開封できるようにした構造の封筒において、
前記分断穴を跨いで分断方向を示す矢印を点字として判読できる、開口縁を封筒の表面に隆起させた印穴でもって形成し、指触で開封方向がわかるようにしたことを特徴とする封筒。
【請求項２】
複数の分断穴の穴列を封筒の分断開始側縁辺に対して略直角となるように形成して分断し易くしたことを特徴とする請求項１記載の封筒。
【請求項３】
複数の分断穴の穴列を封筒隅部の切除片が掴み易いように膨れた円弧状に形成した請求項１記載の封筒。
【請求項４】
線材又は細幅のテープを封筒の折り目内側に沿って付着したことを特徴とする請求項１または２記載の封筒。
【請求項５】
線材又は細幅のテープを封筒の開口部を封止する封止片の折り目内側に沿って付着したことを特徴とする請求項１〜４いずれかに記載の封筒。
【請求項６】
封筒の開口部を封止する封止片の折り目に沿って複数の切断穴を形成し、同切断穴の折り目内側に沿って糊剤を塗布し、同糊剤に沿って引張強度の高い線材を張り渡し、糊剤を乾燥させて前記線材を折り目内側に止着し、同折り目から張り出した線材を折り目端で切断し、封止片を折り目に沿って折曲し、同折曲した封止片を含む封筒隅部に封筒から分断できるようにする複数の分断穴を設けて切除片を形成し、前記分断穴を跨いで分断方向を示す矢印を点字として判読できる、開口縁を封筒の表面に隆起させた印穴からなる分断方向を示す矢印を同時に形成することを特徴とする封筒の製造方法。
【請求項７】
封筒の開口部を封止する封止片の折り目に沿って複数の切断穴を形成し、同切断穴の折り目内側に沿って引張強度の高い細幅のテープを止着し、折り目から張り出した細幅のテープを折り目端で切断し、封止片を折り目に沿って折曲し、同折曲した封止片を含む封筒隅部に封筒から分断できるようにする複数の分断穴を設けて切除片を形成し、前記分断穴を跨いで分断方向を示す矢印を点字として判読できる、開口縁を封筒の表面に隆起させた印穴からなる分断方向を示す矢印を同時に形成することを特徴とする封筒の製造方法。
【発明の詳細な説明】
【０００１】
【発明の属する技術分野】
本発明は、封筒をカッター等の道具を用いることなく手で開封できるようにする技術に関する。
【０００２】
【従来の技術】
従来、カッター等の道具を用いることなく手で容易に開封できる封入袋として、封入袋の開口した一辺に折り返し後接着して開口を封止する封止片を折曲自在に設け、同封止片の折り目内側に沿って引張強度の高い線材を張り渡し、同線材の両端を前記封止片の折り目内側隅部で止着し、同止着した箇所を含む封入袋及び封止片隅部の小さな領域が封入袋と分断できるようにする分断穴を設け、小さな領域を掴んで分断穴に沿って封入袋から破断後線材で封止片を折り目に沿って切断することで開封できるようにした構成が公知であり、実用に供している。
【０００３】
近年では視力障害者でも容易に開封できる封入袋が求められており、前述の構成では開封方向がわかりにくいものであった。本発明はそのような事情に鑑みて成されたものである。
【０００４】
【発明が解決しようとする課題】
本発明が解決しようとする課題は、従来のこれらの問題点を解消し、視力障害者がカッター等の道具を用いることなく手で容易に開封できる封筒を提供することにある。
【０００５】
【課題を解決するための手段】
かかる課題を解決した本発明の封筒は、封筒の一辺の折り目に複数の切断穴を形成し、前記折り目の内側に沿って引張強度の高い線材又は細幅のテープを張り渡し、同線材又は細幅のテープの少なくとも両端を折り目内側隅部で止着し、同止着箇所を含む封筒隅部が封筒から分断できるようにする複数の分断穴を設けて切除片を形成し、切除片を分断穴に沿って破断させて封筒から分断した後、更に線材又は細幅のテープで封筒の一辺を前記切断穴を形成した折り目に沿って切断することで開封できるようにした構造の封筒において、前記分断穴を跨いで分断方向を示す矢印を点字として判読できる、開口縁を封筒の表面に隆起させた印穴でもって形成し、指触で開封方向がわかるようにしたことを特徴とする。
【０００６】
また、本発明の封筒の製造方法は、封筒の開口部を封止する封止片の折り目に沿って複数の切断穴を形成し、同切断穴の折り目内側に沿って糊剤を塗布し、同糊剤に沿って引張強度の高い線材を張り渡し、糊剤を乾燥させて前記線材を折り目内側に止着し、同折り目から張り出した線材を折り目端で切断し、封止片を折り目に沿って折曲し、同折曲した封止片を含む封筒の隅部に封筒から分断できるようにする複数の分断穴を設けて切除片を形成し、前記分断穴を跨いで分断方向を示す矢印を点字として判読できる、開口縁を封筒の表面に隆起させた印穴からなる分断方向を示す矢印を同時に形成することを特徴とする。
【０００７】
さらに、本発明の封筒の製造方法は、封筒の開口部を封止する封止片の折り目に沿って複数の切断穴を形成し、同切断穴の折り目内側に沿って引張強度の高い細幅のテープを止着し、折り目から張り出した細幅のテープを折り目端で切断し、封止片を折り目に沿って折曲し、同折曲した封止片を含む封筒隅部に封筒から分断できるようにする複数の分断穴を設けて切除片を形成し、前記分断穴を跨いで分断方向を示す矢印を点字として判読できる、開口縁を封筒の表面に隆起させた印穴からなる分断方向を示す矢印を同時に形成することを特徴とする。
【０００８】
【発明の効果】
本発明によれば、分断穴が形成された封筒の切除片を掴むことで印穴により指触で開封方向が判読され、分断穴に沿って封筒から破断した後線材又は細幅のテープで封筒の一辺の折り目に沿って切断することで、視力障害者でもカッター等の道具を用いることなく容易に開封される。
【０００９】
【発明の実施の形態】
本発明の封筒を構成する材料としては紙，ダンボール，ビニル等を単体又は複合した容易に切断できるものが用いられる。封筒の切断される辺には円滑に切断できるようにミシン目や切れ目等の切断穴を形成しておくとよい。
【００１０】
線材としては綿や麻等の糸、釣糸等のプラスチック、金属製のワイヤー、細幅のテープとしては幅２ｍｍ程度で厚めのセロハンやビニルなど十分な引張強度を有し前述の封筒を容易に切断できるものが用いられる。線材又は細幅のテープは一般に封筒の一辺に渡って張り渡されるが、二辺に渡って張り渡して幅広く切断することで内容物を取り出し易くすることもできる。
【００１１】
線材の止着方法としては、強力な接着剤で直接封筒に接着する方法、封筒の分断される切除片よりやや小さい粘着テープ片で封筒隅部に貼着する方法などがあり、特に線材全体を切断される封筒一辺の折り目内側に沿って接着剤又は細長い粘着テープで付着させておくと切断時に線材がズレることなく折り目に沿って確実に切断できるので好ましい。
【００１２】
分断穴としてはミシン目や切れ目、孔などがあり、これらを短い間隔で複数配列することで分断し易くするもので、封筒隅部の分断開始側縁辺に対して略直角（直角及び直角に近い角度も含む）となるように複数形成すると、分断方向に指の力を入れ易くて好ましく、特に円弧状に形成すると掴み易い。
【００１３】
印穴としてはミシン目や切れ目、点状の穴などがあり、封筒隅部の切除片の分断方向を示す矢印として判読できるもので、分断穴を跨ぐように又はその近傍に複数形成される。
【００１４】
分断穴や印穴は封筒の袋地の色・模様と異なる色彩を付すと、目印となり分かり易くて好ましい。
【００１５】
以下、本発明の実施例を図面に基づいて具体的に説明する。
【００１６】
図１〜７において、図中、１は封筒、１ａは封筒の開口、２は封止片、２ａは封止片の折り目に形成した切断穴、３は綿製の線材、４は円弧状の切除片、４ａはミシン目からなる赤色に着色した分断穴、５は赤色に着色した印穴、６は線材を封筒に貼着させる糊剤、７は封止片を折り曲げて封止する粘着テープ、８は離形紙、９は郵便物、１０は封筒を搬送するコンベア、１１は封筒をコンベア上の所定位置に載置する定規、１２は封止片の折り目に切断穴を形成する切断穴成形機、１３は切断穴に糊剤を塗布する糊剤塗布機、１４は糊剤が塗布された折り目に線材を押し付けるローラ、１５は糊剤を乾燥させる乾燥機、１６は張り出した線材をカットするカッター、１７は封止片を折曲する折曲機、１８は分断穴と印穴を同時に形成する穴成形機である。
【００１７】
図６ではコンベア１０の平面と側面を表わしている。本実施例の封筒１は、図６に示すように供給された封筒１をコンベア１０で搬送しながら封止片２の折り目に沿って切断穴成形機１２で切断穴２ａを形成し、同切断穴２ａの折り目内側に沿って糊剤塗布機１３で糊剤６を塗布し、同糊剤６に沿って供給された線材３をローラ１４で押し付けながら張り渡し、糊剤６を乾燥機１５で乾燥させて線材３を折り目内側に止着し、同折り目内側から張り出した線材３をカッター１６で切断し、封止片２を折曲機１７で折り目に沿って折曲し、同折曲した封止片２を含む封筒１の左側隅部に穴成形機１８で分断穴４ａと印穴５を同時に形成することで製造され、開口１ａから郵便物９を挿入後離形紙８を剥離して封止片２で封止し、所定の郵送先に郵送される。
【００１８】
開封時は、まず封筒１の四隅に触れて印穴５が形成されている箇所と分断方向を確認し、図７（ａ）に示すように切除片４を掴んで印穴５が示す方向に引張することで、切除片４が分断穴４ａに沿って封筒１から破断される。
【００１９】
次に、図７（ｂ）に示すように分断した切除片４を封筒１の対向する隅部に向けて引張することで、線材３の途中が切断穴２ａに沿って封止片２の折り目を破断していく。
【００２０】
そして、切除片４を末端まで引張して封止片２の折り目全部を切断し、図７（ｃ）に示すように封筒１の一辺が開封されて中から郵便物９が取り出されることとなる。
【００２１】
このように、本実施例では視力障害者でも切除箇所を指触で判読し、カッター等の道具を用いることなく手で容易に開封できる。
【００２２】
図８〜１０に示すのは、線材の様々な止着方法を示す実施例の他の例である。
【００２３】
図８に示す封筒１は、封筒１の開口１ａの幅よりやや長い線材３を封止片２の折り目に沿って張り渡し、その両端を曲折して同曲折部分のみを糊剤６で封筒１に貼着したものである。
【００２４】
図９に示す封筒１は、封筒１の開口１ａの幅よりやや短い線材３を封止片２の折り目に沿って張り渡し、その両端のみを糊剤６で封筒１に貼着したものである。
【００２５】
図１０に示す封筒１は、封筒１の開口１ａの幅よりやや長い線材３を両端が封筒１から張り出すように封止片２の折り目に沿って張り渡し、その両端部のみを糊剤６で封筒１に貼着したものである。
【００２６】
その他、符号、構成、作用効果は実施例と同じである。
【００２７】
図１１に示すのは、線材に代えて細幅のテープを用いた実施例の他の例である。図中、１９は幅２ｍｍのビニルからなるテープである。
【００２８】
図１１に示す封筒１は、実施例の線材に代えて細幅のテープ１９を切断穴２に沿って貼着したもので、切除片４を封筒１から分断すると、テープ１９が線材と同じように封止片２の折り目を破断して開封される。
【００２９】
その他、符号、構成、作用効果は実施例と同じである。
【００３０】
図１２，１３に示すのは、分断穴の様々な形状を示す実施例の他の例である。
【００３１】
図１２に示す封筒１は、分断穴４ａを４５゜角に形成して切除片４を三角形状としたものである。
【００３２】
図１３に示す封筒１は、分断穴４ａの分断開始側縁辺を直角に形成する一方、分断終了側縁辺の分断終了角度Ｋを鋭角に形成しており、分断開始時は指に力を入れ易く楽に分断できるとともに、分断終了時は鋭角により切除片４が必然的に開封方向に引張されることで、線材３が封止片２の折り目を円滑に切断し、より容易に封筒１を開封できるようにしたものである。
【００３３】
その他、符号、構成、作用効果は実施例と同じである。
【００３４】
図１４，１５に示すのは、印穴の様々な断面形状を示す実施例の他の例である。
【００３５】
図１４に示す封筒１は、印穴５の開口縁を封筒１の表面に隆起させて指触で判読し易くしたものである。
【００３６】
図１５に示す封筒１は、印穴５の開口縁を平坦に形成したものである。
【００３７】
その他、符号、構成、作用効果は実施例と同じである。
【００３８】
図１６に示すのは、分断穴を片側のみに形成した実施例の他の例である。
【００３９】
その他、符号、構成、作用効果は実施例と同じである。
【００４０】
図１７〜１９に示すのは、開封箇所を別の位置に設けたり封筒の二辺に渡って幅広く開封して郵便物を取り出し易くした実施例の他の例である。
【００４１】
図１７に示す封筒１は側辺に沿って開封できるようにしたものである。
【００４２】
図１８に示す封筒１は底辺に沿って開封できるようにしたものである。
【００４３】
図１９に示す封筒１は、線材３を封筒１の二辺に渡って張り渡し、切除片４を引張して封筒１の二辺を連続的に切断することで幅広く開封して郵便物を取り出し易くしたものである。
【００４４】
その他、符号、構成、作用効果は実施例と同じである。
【００４５】
以上説明したように、本発明の封筒は分断穴が形成された封筒隅部の切除片を掴むことで印穴により指触で開封方向を判読し、分断穴に沿って封筒から分断後線材で封筒の一辺の折り目に沿って切断するから、視力障害者でもカッター等の道具を用いることなく容易に開封できる。
【図面の簡単な説明】
【図１】実施例の封筒の開封状態を示す説明図である。
【図２】実施例の封筒の正面図である。
【図３】実施例の封筒の背面図である。
【図４】実施例の封筒の封止前の状態を示す背面側説明図である。
【図５】実施例の封筒の封止前の状態を示す正面側説明図である。
【図６】実施例の封筒の製造工程を示す説明図である。
【図７】実施例の封筒の開封手順を示す説明図である。
【図８】実施例の他の例の封筒の封止前の背面図である。
【図９】実施例の他の例の封筒の封止前の背面図である。
【図１０】実施例の他の例の封筒の封止前の背面図である。
【図１１】実施例の他の例の封筒の封止前の背面図である。
【図１２】実施例の他の例の封筒隅部の説明図である。
【図１３】実施例の他の例の封筒隅部の説明図である。
【図１４】実施例の他の例の印穴の断面図である。
【図１５】実施例の他の例の印穴の断面図である。
【図１６】実施例の他の例の封筒の正面図である。
【図１７】実施例の他の例の封筒の開封状態を示す説明図である。
【図１８】実施例の他の例の封筒の開封状態を示す説明図である。
【図１９】実施例の他の例の封筒の開封状態を示す説明図である。
【符号の説明】
１：封筒
２：封止片
２ａ：切断穴
３：線材
４：切除片
４ａ：分断穴
５：印穴
６：糊剤
７：粘着テープ
８：離形紙
９：郵便物
１０：コンベア
１１：定規
１２：切断穴成形機
１３：糊剤塗布機
１４：ローラ
１５：乾燥機
１６：カッター
１７：折曲機
１８：穴成形機
【図１】
0004039573.tif 000002
【図２】
0004039573.tif 000003
【図３】
0004039573.tif 000004
【図４】
0004039573.tif 000005
【図５】
0004039573.tif 000006
【図６】
0004039573.tif 000007
【図７】
0004039573.tif 000008
【図８】
0004039573.tif 000009
【図９】
0004039573.tif 000010
【図１０】
0004039573.tif 000011
【図１１】
0004039573.tif 000012
【図１２】
0004039573.tif 000013
【図１３】
0004039573.tif 000014
【図１４】
0004039573.tif 000015
【図１５】
0004039573.tif 000016
【図１６】
0004039573.tif 000017
【図１７】
0004039573.tif 000018
【図１８】
0004039573.tif 000019
【図１９】
0004039573.tif 000020